【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
複数の役がそれぞれ所定の当選確率を有するように定められた抽選テーブルを用いて、役の抽選を行う役抽選手段と、
前記役抽選手段による役の抽選結果に基づいて、リールを停止させるように制御するリール停止制御手段と
を備え、
前記抽選テーブルは、
通常抽選テーブルと、
当該遊技で投入された数の遊技媒体を自動投入して再遊技を行う権利を遊技者に与える再遊技役の当選確率が、前記通常抽選テーブルの前記再遊技役の当選確率より高く設定された複数の再遊技高確率抽選テーブルとを備え、
前記役抽選手段は、いずれか１つの前記抽選テーブルを用いて役の抽選を行い、
前記役抽選手段は、遊技者にとって有利となる特別遊技に移行するための特別役を含めて抽選を行い、
前記役抽選手段で用いる前記抽選テーブルを、他の前記抽選テーブルに切り替えるための条件を満たしたか否かを判定する条件判定手段と、
前記条件判定手段による判定結果に基づいて、前記抽選テーブルを切り替える抽選テーブル切替え手段と
を備え、
前記条件判定手段は、前記通常抽選テーブルが用いられている遊技において、前記役抽選手段による役の抽選で前記特別役に当選したときは、前記再遊技高確率抽選テーブルに切り替えるための条件を満たしたと判定して、前記抽選テーブル切替え手段は、前記通常抽選テーブルから所定の前記再遊技高確率抽選テーブルに切り替えるようにし、
前記条件判定手段は、いずれかの前記再遊技高確率抽選テーブルが用いられている遊技において、前記役抽選手段による役の抽選で前記特別役に当選したときは、前記抽選テーブルに切り替えるための条件を満たしたと判定して、前記抽選テーブル切替え手段は、それまでの前記再遊技高確率抽選テーブルから、その再遊技高確率抽選テーブルより前記再遊技役の当選確率が低く設定された他の前記再遊技高確率抽選テーブルに切り替えるようにし、
前記リール停止制御手段は、前記役抽選手段による役の抽選で前記特別役に当選し、前記抽選テーブル切替え手段によりいずれかの前記再遊技高確率抽選テーブルに切り替えられた遊技では、当選した前記特別役に対応する図柄の組合せを有効ラインに停止可能に前記リールを停止制御する
ことを特徴とするスロットマシン。
【請求項２】
請求項１に記載のスロットマシンにおいて、
前記役抽選手段による役の抽選で前記特別役に当選し、前記抽選テーブル切替え手段によりいずれかの前記再遊技高確率抽選テーブルに切り替えられたときは、当選した前記特別役に対応する図柄の組合せが有効ラインに停止するまで、前記抽選テーブルを切り替えないようにする
ことを特徴とするスロットマシン。
【請求項３】
複数の役がそれぞれ所定の当選確率を有するように定められた抽選テーブルを用いて、役の抽選を行う役抽選手段と、
前記役抽選手段による役の抽選結果に基づいて、リールを停止させるように制御するリール停止制御手段と
を備え、
前記抽選テーブルは、
通常抽選テーブルと、
当該遊技で投入された数の遊技媒体を自動投入して再遊技を行う権利を遊技者に与える再遊技役の当選確率が、前記通常抽選テーブルの前記再遊技役の当選確率より高く設定された再遊技高確率抽選テーブルとを備え、
前記役抽選手段は、いずれか１つの前記抽選テーブルを用いて役の抽選を行い、
前記役抽選手段は、遊技者にとって有利となる特別遊技に移行するための特別役を含めて抽選を行い、
前記通常抽選テーブルが用いられている遊技において、前記役抽選手段による役の抽選で前記特別役に当選したときは、前記再遊技高確率抽選テーブルに切り替えるための条件を満たしたと判定する条件判定手段と、
前記条件判定手段により前記再遊技高確率抽選テーブルに切り替えるための条件を満たしたと判定されたときは、前記通常抽選テーブルから前記再遊技高確率抽選テーブルに切り換える抽選テーブル切替え手段と
を備え、
前記リール停止制御手段は、前記役抽選手段による役の抽選で前記特別役に当選し、前記抽選テーブル切替え手段により前記再遊技高確率抽選テーブルに切り替えられた遊技では、当選した前記特別役に対応する図柄の組合せを有効ラインに停止可能に前記リールを停止制御し、
前記役抽選手段による役の抽選で前記特別役に当選し、前記抽選テーブル切替え手段により前記再遊技高確率抽選テーブルに切り替えられたときは、当選した前記特別役に対応する図柄の組合せが有効ラインに停止するまで、前記抽選テーブルを切り換えないようにする
ことを特徴とするスロットマシン。
【請求項４】
複数の役がそれぞれ所定の当選確率を有するように定められた抽選テーブルを用いて、役の抽選を行う役抽選手段と、
前記役抽選手段による役の抽選結果に基づいて、リールを停止させるように制御するリール停止制御手段と
を備え、
前記抽選テーブルは、
通常抽選テーブルと、
当該遊技で投入された数の遊技媒体を自動投入して再遊技を行う権利を遊技者に与える再遊技役の当選確率が、前記通常抽選テーブルの前記再遊技役の当選確率より高く設定された再遊技高確率抽選テーブルとを備え、
前記役抽選手段は、いずれか１つの前記抽選テーブルを用いて役の抽選を行い、
前記役抽選手段は、遊技者にとって有利となる特別遊技に移行するための特別役を含めて抽選を行い、
前記通常抽選テーブルが用いられている遊技において、前記役抽選手段による役の抽選で前記特別役に当選したときは、前記再遊技高確率抽選テーブルに切り替えるための条件を満たしたと判定する条件判定手段と、
前記条件判定手段により前記再遊技高確率抽選テーブルに切り替えるための条件を満たしたと判定されたときは、前記通常抽選テーブルから前記再遊技高確率抽選テーブルに切り換える抽選テーブル切替え手段と
を備え、
前記リール停止制御手段は、前記役抽選手段による役の抽選で前記特別役に当選し、前記抽選テーブル切替え手段により前記再遊技高確率抽選テーブルに切り替えられた遊技では、当選した前記特別役に対応する図柄の組合せを有効ラインに停止可能に前記リールを停止制御する
ことを特徴とするスロットマシン。
【手続補正２】
【補正対象書類名】明細書
【補正対象項目名】０００１
【補正方法】変更
【補正の内容】
【０００１】
本発明は、複数のＲＴ遊技抽選テーブルを備えるスロットマシンに関するものである。
【手続補正３】
【補正対象書類名】明細書
【補正対象項目名】０００２
【補正方法】変更
【補正の内容】
【０００２】
従来のスロットマシンにおいて、第１確率テーブルと、再遊技役の当選確率が、いずれの役にも当選しない確率以上の値を有し、かつ、傾斜値が第１確率テーブルより高く設定された第２確率テーブルとを備えるスロットマシンが知られている（例えば、特許文献１参照）。
【手続補正４】
【補正対象書類名】明細書
【補正対象項目名】０００３
【補正方法】変更
【補正の内容】
【０００３】
【特許文献１】特開２００１−１３７４３０号公報
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】変更
【補正の内容】
【０００５】
本発明が解決しようとする課題は、通常遊技とＲＴ遊技間を移行することで、より多彩な遊技状態を作り出すことである。
【手続補正７】
【補正対象書類名】明細書
【補正対象項目名】０００６
【補正方法】変更
【補正の内容】
【０００６】
本発明は、以下の解決手段によって、上述の課題を解決する。
請求項１の発明は、複数の役がそれぞれ所定の当選確率を有するように定められた抽選テーブルを用いて、役の抽選を行う役抽選手段と、前記役抽選手段による役の抽選結果に基づいて、リールを停止させるように制御するリール停止制御手段とを備え、前記抽選テーブルは、通常抽選テーブルと、当該遊技で投入された数の遊技媒体を自動投入して再遊技を行う権利を遊技者に与える再遊技役の当選確率が、前記通常抽選テーブルの前記再遊技役の当選確率より高く設定された複数の再遊技高確率抽選テーブルとを備え、前記役抽選手段は、いずれか１つの前記抽選テーブルを用いて役の抽選を行い、前記役抽選手段は、遊技者にとって有利となる特別遊技に移行するための特別役を含めて抽選を行い、前記役抽選手段で用いる前記抽選テーブルを、他の前記抽選テーブルに切り替えるための条件を満たしたか否かを判定する条件判定手段と、前記条件判定手段による判定結果に基づいて、前記抽選テーブルを切り替える抽選テーブル切替え手段とを備え、前記条件判定手段は、前記通常抽選テーブルが用いられている遊技において、前記役抽選手段による役の抽選で前記特別役に当選したときは、前記再遊技高確率抽選テーブルに切り替えるための条件を満たしたと判定して、前記抽選テーブル切替え手段は、前記通常抽選テーブルから所定の前記再遊技高確率抽選テーブルに切り替えるようにし、前記条件判定手段は、いずれかの前記再遊技高確率抽選テーブルが用いられている遊技において、前記役抽選手段による役の抽選で前記特別役に当選したときは、前記抽選テーブルに切り替えるための条件を満たしたと判定して、前記抽選テーブル切替え手段は、それまでの前記再遊技高確率抽選テーブルから、その再遊技高確率抽選テーブルより前記再遊技役の当選確率が低く設定された他の前記再遊技高確率抽選テーブルに切り替えるようにし、前記リール停止制御手段は、前記役抽選手段による役の抽選で前記特別役に当選し、前記抽選テーブル切替え手段によりいずれかの前記再遊技高確率抽選テーブルに切り替えられた遊技では、当選した前記特別役に対応する図柄の組合せを有効ラインに停止可能に前記リールを停止制御することを特徴とする。
【手続補正８】
【補正対象書類名】明細書
【補正対象項目名】０００７
【補正方法】変更
【補正の内容】
【０００７】
請求項２の発明は、請求項１に記載のスロットマシンにおいて、前記役抽選手段による役の抽選で前記特別役に当選し、前記抽選テーブル切替え手段によりいずれかの前記再遊技高確率抽選テーブルに切り替えられたときは、当選した前記特別役に対応する図柄の組合せが有効ラインに停止するまで、前記抽選テーブルを切り替えないようにすることを特徴とする。
【手続補正９】
【補正対象書類名】明細書
【補正対象項目名】０００８
【補正方法】変更
【補正の内容】
【０００８】
請求項３の発明は、複数の役がそれぞれ所定の当選確率を有するように定められた抽選テーブルを用いて、役の抽選を行う役抽選手段と、前記役抽選手段による役の抽選結果に基づいて、リールを停止させるように制御するリール停止制御手段とを備え、前記抽選テーブルは、通常抽選テーブルと、当該遊技で投入された数の遊技媒体を自動投入して再遊技を行う権利を遊技者に与える再遊技役の当選確率が、前記通常抽選テーブルの前記再遊技役の当選確率より高く設定された再遊技高確率抽選テーブルとを備え、前記役抽選手段は、いずれか１つの前記抽選テーブルを用いて役の抽選を行い、前記役抽選手段は、遊技者にとって有利となる特別遊技に移行するための特別役を含めて抽選を行い、前記通常抽選テーブルが用いられている遊技において、前記役抽選手段による役の抽選で前記特別役に当選したときは、前記再遊技高確率抽選テーブルに切り替えるための条件を満たしたと判定する条件判定手段と、前記条件判定手段により前記再遊技高確率抽選テーブルに切り替えるための条件を満たしたと判定されたときは、前記通常抽選テーブルから前記再遊技高確率抽選テーブルに切り換える抽選テーブル切替え手段とを備え、前記リール停止制御手段は、前記役抽選手段による役の抽選で前記特別役に当選し、前記抽選テーブル切替え手段により前記再遊技高確率抽選テーブルに切り替えられた遊技では、当選した前記特別役に対応する図柄の組合せを有効ラインに停止可能に前記リールを停止制御し、前記役抽選手段による役の抽選で前記特別役に当選し、前記抽選テーブル切替え手段により前記再遊技高確率抽選テーブルに切り替えられた遊技では、当選した前記特別役に対応する図柄の組合せが有効ラインに停止するまで、前記抽選テーブルを切り換えないようにすることを特徴とする。
【手続補正１０】
【補正対象書類名】明細書
【補正対象項目名】０００９
【補正方法】変更
【補正の内容】
【０００９】
請求項４の発明は、複数の役がそれぞれ所定の当選確率を有するように定められた抽選テーブルを用いて、役の抽選を行う役抽選手段と、前記役抽選手段による役の抽選結果に基づいて、リールを停止させるように制御するリール停止制御手段とを備え、前記抽選テーブルは、通常抽選テーブルと、当該遊技で投入された数の遊技媒体を自動投入して再遊技を行う権利を遊技者に与える再遊技役の当選確率が、前記通常抽選テーブルの前記再遊技役の当選確率より高く設定された再遊技高確率抽選テーブルとを備え、前記役抽選手段は、いずれか１つの前記抽選テーブルを用いて役の抽選を行い、前記役抽選手段は、遊技者にとって有利となる特別遊技に移行するための特別役を含めて抽選を行い、前記通常抽選テーブルが用いられている遊技において、前記役抽選手段による役の抽選で前記特別役に当選したときは、前記再遊技高確率抽選テーブルに切り替えるための条件を満たしたと判定する条件判定手段と、前記条件判定手段により前記再遊技高確率抽選テーブルに切り替えるための条件を満たしたと判定されたときは、前記通常抽選テーブルから前記再遊技高確率抽選テーブルに切り換える抽選テーブル切替え手段とを備え、前記リール停止制御手段は、前記役抽選手段による役の抽選で前記特別役に当選し、前記抽選テーブル切替え手段により前記再遊技高確率抽選テーブルに切り替えられた遊技では、当選した前記特別役に対応する図柄の組合せを有効ラインに停止可能に前記リールを停止制御することを特徴とする。
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】変更
【補正の内容】
【００１７】
本発明によれば、通常遊技とＲＴ遊技（再遊技高確率遊技）間を移行することで、より多彩な遊技状態を作り出すことができる。
また、ＲＴ遊技中は、リプレイの当選確率が通常遊技中より高くなるので、それだけ、メダルを投入しないで次遊技を行う機会が増加する。そして、請求項１又は請求項２の発明によれば、そのリプレイの当選確率が異なる複数のＲＴ遊技を設けることにより、メダルの減り具合が異なる複数の遊技状態を設けることができる。
さらにまた、請求項１又は請求項２の発明によれば、内部中となったときに移行するＲＴ遊技では、リプレイの当選確率を、他のＲＴ遊技程度までは高く設定していないので、リプレイの当選確率が高くなりすぎ、複数の遊技で連続してリプレイに当選し、特別役を入賞させる機会が少なくなってしまうことを防止することができる。
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】削除
【補正の内容】